(57)【要約】【課題】ヘッドボックスから互いに重なる昇降軌跡に沿って昇降可能に吊下支持される上部昇降体と下部昇降体とを独立して昇降可能としながら、上部昇降体と下部昇降体との干渉を阻止し得る電動日射制御装置を提供する。【解決手段】窓外からの採光量を調節する上部昇降体と下部昇降体とを、ヘッドボックスから互いに重なる昇降軌跡に沿って昇降可能に吊下支持し、ヘッドボックス内には上部昇降体と下部昇降体とを独立して昇降駆動するモーターを設けた電動日射制御装置において、上部昇降体と下部昇降体の昇降操作時に、上部昇降体と下部昇降体の干渉を阻止する制御手段２２，１６，２４を設けた。【選択図】図５
2014029089.tif 000002
【特許請求の範囲】
【請求項１】
窓外からの採光量を調節する上部昇降体と下部昇降体とを、ヘッドボックスから互いに重なる昇降軌跡に沿って昇降可能に吊下支持し、前記ヘッドボックス内には前記上部昇降体と下部昇降体とを独立して昇降駆動するモーターを設けた電動日射制御装置において、
前記上部昇降体と下部昇降体の昇降操作時に、上部昇降体と下部昇降体の干渉を阻止する制御手段を設けたことを特徴とする電動日射制御装置。
【請求項２】
前記制御手段は、
前記上部昇降体の昇降位置を検出する第一のセンサー部と、
前記下部昇降体の昇降位置を検出する第二のセンサー部と、
前記第一及び第二のセンサー部から出力される検出信号に基づいて、前記上部昇降体と下部昇降体が互いに干渉しないように該上部昇降体と下部昇降体の昇降動作を制御する制御部と
を備えたことを特徴とする請求項１記載の電動日射制御装置。
【請求項３】
前記制御部は、
前記第一及び第二のセンサー部の検出信号に基づいて、前記上部昇降体を上限まで引き上げた後に前記下部昇降体を引き上げる引き上げ動作と、
前記第一及び第二のセンサー部の検出信号に基づいて、前記下部昇降体を下限まで下降させた後に前記上部昇降体を下降させる下降動作と
を行うことを特徴とする請求項２記載の電動日射制御装置。
【請求項４】
前記制御部は、
前記第一及び第二のセンサー部の検出信号に基づいて、前記上部昇降体の最下部と前記下部昇降体の最上部との間隔があらかじめ設定した設定値以下とならないように制御することを特徴とする請求項２記載の電動日射制御装置。
【請求項５】
ヘッドボックスから、上部昇降体と下部昇降体とを互いに重なる昇降軌跡に沿ってモーターで独立して昇降して、窓外からの採光量を調節する電動日射制御装置の昇降体昇降方法において、
前記上部昇降体と下部昇降体の引き上げ操作時に、前記上部昇降体を上限まで引き上げた後に前記下部昇降体を引き上げ、前記上部昇降体と下部昇降体の下降操作時に、前記下部昇降体を下限まで下降させた後に前記上部昇降体を下降させることを特徴とする電動日射制御装置の昇降体昇降方法。
【請求項６】
ヘッドボックスから、上部昇降体と下部昇降体とを互いに重なる昇降軌跡に沿ってモーターで独立して昇降して、窓外からの採光量を調節する電動日射制御装置の昇降体昇降方法において、
前記上部昇降体の最下部と前記下部昇降体の最上部との間隔があらかじめ設定した設定値以下とならないように制御することを特徴とする電動日射制御装置の昇降体昇降方法。
【発明の詳細な説明】
【技術分野】
【０００１】
この発明は、例えば電動横型ブラインド等の日射遮蔽装置や、ライトシェルフ等複数の採光装置を電動モーターの駆動力で昇降可能とした電動日射制御装置に関するものである。
【背景技術】
【０００２】
上部と下部に分かれた日射遮蔽装置、あるいはライトシェルフの技術として、例えば特許文献１には、ヘッドボックスから上部スクリーンと下部スクリーンが中間レールを介して吊下支持され、上部スクリーンと下部スクリーンをそれぞれ別個のモーターで独立して昇降可能としたプリーツスクリーンが開示されている。
【０００３】
また、特許文献２にはインナーライトシェルフの下方に横型ブラインドを吊下支持し、窓の上部では反射板で室内に間接光を採り入れ、窓の中間部から下方では横型ブラインドのスラットを昇降し、あるいは角度調節して、室内への採光量を調節可能とした電動日射制御装置が開示されている。
【０００４】
このインナーライトシェルフでは、窓面の内側に反射板を吊下支持するとともに、反射板をほぼ水平方向に支持して、外光を天井面に向かって反射させて間接照明として利用するようにしたものである。また、窓面の内側上方位置には、反射板が回動操作可能に配設されている。
【０００５】
さらに、下方に位置する電動横型ブラインドは、ヘッドボックス内に配設されるスラット角度調節装置の動作に基づいてラダーコードを介して各スラットが同位相で回動され、ヘッドボックス内に配設されるスラット昇降装置の動作に基づいて、昇降コードが昇降されてスラットが昇降される。
【０００６】
このようなスラット角度調節装置及びスラット昇降装置は、ヘッドボックス内に配設されるモーターの駆動力に基づいて動作する。
【先行技術文献】
【特許文献】
【０００７】
【特許文献１】特開２０１１−１１１７６３号公報
【特許文献２】特開２００６−２２２０１１号公報
【発明の概要】
【発明が解決しようとする課題】
【０００８】
上記のような電動日射制御装置では、特許文献２に開示されているように、インナーライトシェルフの昇降操作と電動横型ブラインドの昇降操作とを別個の操作スイッチを使用して独立して昇降操作可能としている。
【０００９】
しかし、シェルフ及びブラインドのすべての昇降動作を連続して行う構成は開示されていない。さらにすべてのシェルフ及びブラインドを連続して昇降操作するためには、シェルフ及びブラインドの昇降装置を天井付近に設置する必要があるが、この場合にはシェルフとブラインドの昇降軌跡が重なってしまう。
【００１０】
特許文献１に開示されたプリーツスクリーンでは、ボトムレールの引き上げ操作時あるいは中間レールの下降操作時に、ボトムレールと中間レールの接触パルス状態を検出して、ボトムレールと中間レールが互いに干渉するときにはボトムレールと中間レールとを同方向に移動させて、スクリーンを円滑に昇降操作可能とする制御方法が開示されている。
【００１１】
しかし、ボトムレールと中間レールとが干渉しないように制御する制御方法は開示されていない。
この発明の目的は、ヘッドボックスから互いに重なる昇降軌跡に沿って昇降可能に吊下支持される上部昇降体と下部昇降体とを独立して昇降可能としながら、上部昇降体と下部昇降体との干渉を阻止し得る電動日射制御装置を提供することにある。
【課題を解決するための手段】
【００１２】
請求項１では、窓外からの採光量を調節する上部昇降体と下部昇降体とを、ヘッドボックスから互いに重なる昇降軌跡に沿って昇降可能に吊下支持し、前記ヘッドボックス内には前記上部昇降体と下部昇降体とを独立して昇降駆動するモーターを設けた電動日射制御装置において、前記上部昇降体と下部昇降体の昇降操作時に、上部昇降体と下部昇降体の干渉を阻止する制御手段を設けた。
【００１３】
請求項２では、前記制御手段は、前記上部昇降体の昇降位置を検出する第一のセンサー部と、前記下部昇降体の昇降位置を検出する第二のセンサー部と、前記第一及び第二のセンサー部から出力される検出信号に基づいて、前記上部昇降体と下部昇降体が互いに干渉しないように該上部昇降体と下部昇降体の昇降動作を制御する制御部とを備えた。
【００１４】
請求項３では、前記制御部は、前記第一及び第二のセンサー部の検出信号に基づいて、前記上部昇降体を上限まで引き上げた後に前記下部昇降体を引き上げる引き上げ動作と、前記第一及び第二のセンサー部の検出信号に基づいて、前記下部昇降体を下限まで下降させた後に前記上部昇降体を下降させる下降動作とを行う。
【００１５】
請求項４では、前記制御部は、前記第一及び第二のセンサー部の検出信号に基づいて、前記上部昇降体の最下部と前記下部昇降体の最上部との間隔があらかじめ設定した設定値以下とならないように制御する。
【００１６】
請求項５では、ヘッドボックスから、上部昇降体と下部昇降体とを互いに重なる昇降軌跡に沿ってモーターで独立して昇降して、窓外からの採光量を調節する電動日射制御装置の昇降体昇降方法において、前記上部昇降体と下部昇降体の引き上げ操作時に、前記上部昇降体を上限まで引き上げた後に前記下部昇降体を引き上げ、前記上部昇降体と下部昇降体の下降操作時に、前記下部昇降体を下限まで下降させた後に前記上部昇降体を下降させる。
【００１７】
請求項６では、ヘッドボックスから、上部昇降体と下部昇降体とを互いに重なる昇降軌跡に沿ってモーターで独立して昇降して、窓外からの採光量を調節する電動日射制御装置の昇降体昇降方法において、前記上部昇降体の最下部と前記下部昇降体の最上部との間隔があらかじめ設定した設定値以下とならないように制御する。
【発明の効果】
【００１８】
本発明によれば、ヘッドボックスから互いに重なる昇降軌跡に沿って昇降可能に吊下支持される上部昇降体と下部昇降体とを独立して昇降可能としながら、上部昇降体と下部昇降体との干渉を阻止し得る電動日射制御装置を提供することができる。
【図面の簡単な説明】
【００１９】
【図１】電動日射制御装置を示す正面図である。
【図２】電動日射制御装置を示す側面図である。
【図３】反射板を示す平面図である。
【図４】電動日射制御装置の設置状態を示す側面図である。
【図５】電動日射遮蔽装置の電気的構成を示すブロック図である。
【図６】第一の実施形態の動作を示すフローチャートである。
【図７】第一の実施形態の昇降動作を示す側面図である。
【図８】第一の実施形態の昇降動作を示す側面図である。
【図９】第一の実施形態の昇降動作を示す側面図である。
【図１０】第二の実施形態の動作を示すフローチャートである。
【図１１】第二の実施形態の昇降動作を示す側面図である。
【図１２】第二の実施形態の昇降動作を示す側面図である。
【図１３】第二の実施形態の昇降動作を示す側面図である。
【発明を実施するための形態】
【００２０】
（第一の実施形態）
以下、この発明を具体化した第一の実施形態を図面に従って説明する。図１及び図２に示す電動日射制御装置は、第一のヘッドボックス１から吊下コード２ａ〜２ｃを介して６枚の反射板３ａ〜３ｆが吊下支持されている。
【００２１】
前記各反射板３ａ〜３ｆは、上面にアルミニウムが蒸着されたアクリルの板材で形成されるとともに、各反射板３ａ〜３ｆの長手方向３箇所において前後両側縁がそれぞれ６本ずつの吊下コード２ａ〜２ｃのいずれかを介して吊下支持されている。
【００２２】
前記反射板３ａ〜３ｆのうち、最上段の反射板３ａと、上から４段目の反射板３ｄとは６本の吊下コード２ａで所定の間隔を隔てて吊下支持される。同様に、上から２段目の反射板３ｂと、上から５段目の反射板３ｅとは吊下コード２ｂで所定の間隔を隔てて吊下支持され、上から３段目の反射板３ｃと、上から６段目の反射板３ｆとは吊下コード２ｃで所定の間隔を隔てて吊下支持される。
【００２３】
そして、反射板３ａ〜３ｆを下限まで下降させると、図１及び図２に示すように、反射板３ａ〜３ｆが等間隔を隔てて吊下支持される。
前記各吊下コード２ａ〜２ｃは、前記第一のヘッドボックス１内に配設される駆動部４からそれぞれ独立して昇降可能に吊下支持され、各反射板３ａ〜３ｆが上記組み合わせで２枚ずつ独立して昇降可能となっている。駆動部４には前記吊下コード２ａ〜２ｃをそれぞれ独立して昇降駆動するための複数のモーターが配設されている。
【００２４】
そして、各反射板３ａ〜３ｆが下限まで下降された状態では、図７に示すように、各反射板３ａ〜３ｆが等間隔を隔てて吊下支持され、各反射板３ａ〜３ｆが上限まで引き上げられると、図８に示すように、各反射板３ａ〜３ｆが第一のヘッドボックス１の下方に積層された状態で畳み込まれる。
【００２５】
なお、最下段の反射板３ｆは、吊下コード２ａ〜２ｃとは別の吊下コード（図示しない）で吊下支持され、この吊下げコードを介して反射板３ｆを引き上げることにより、各反射板３ａ〜３ｆが第一のヘッドボックス１の下方に積層された状態で畳み込まれる。
【００２６】
前記第一のヘッドボックス１内には、電動横型ブラインドを吊下支持する第二のヘッドボックス５が収容されている。この第二のヘッドボックス５は、第一のヘッドボックス１の前後方向（図７において左右方向）中央部から室外側にオフセットされて収容されている。
【００２７】
図３に示すように、前記反射板３ａ〜３ｆには（図３では反射板３ａを示す）反射板３ａ〜３ｆの前後方向に延びる長孔１２が形成されている。各長孔１２は、反射板３ａ〜３ｆの長手方向において等間隔で３箇所に設けられている。そして、前記第二のヘッドボックス５から垂下される３本のラダーコード６及び第二のヘッドボックス５の長手方向両側から垂下される２本のラダーコード６の近傍に垂下される２本の昇降コード７は、前記長孔１２を貫通して垂下される。
【００２８】
前記反射板３ａ〜３ｆの下方で前記ラダーコード６に多数段のスラット８が支持されるとともに、そのスラット８に前記昇降コード７が挿通されている。そして、ラダーコード６及び昇降コード７の下端にボトムレール９が取着されている。
【００２９】
前記ラダーコード６の上端は、前記第二のヘッドボックス５内のラダーコード吊下装置１０に支持され、前記昇降コード７の上端は第二のヘッドボックス５内の昇降コード巻取装置１１から吊下支持されている。
【００３０】
そして、ラダーコード吊下装置１０の動作によりラダーコード６を介して各スラット８が同位相で回動され、昇降コード巻取装置１１の動作により昇降コード７が巻き上げられてボトムレール９及びスラット８が引き上げられ、あるいは昇降コード７が巻戻されてボトムレール９及びスラット８が下降する。
【００３１】
前記第二のヘッドボックス５内において、前記ラダーコード吊下装置１０及び昇降コード巻取装置１１には六角棒状のスラット駆動軸１３が相対回転不能に挿通され、そのスラット駆動軸１３の端部がモーター１４の出力軸に嵌着されている。
【００３２】
そして、モーター１４の作動によりスラット駆動軸１３が回転されると、ラダーコード吊下装置１０が作動してラダーコード６を介してスラット８が回動されるとともに、昇降コード巻取装置１１が作動してボトムレール９及びスラット８が引き上げられ、あるいは下降する。なお、各スラット８が全閉状態あるいは逆全閉状態まで回動されると、スラット駆動軸１３はラダーコード吊下装置１０に対し空回りして、スラット８の同方向へのそれ以上の回動が阻止される。
【００３３】
前記第二のヘッドボックス５内には前記モーター１４の動作を制御する制御基板１５が配設され、その制御基板１５の一側に前記スラット駆動軸１３の回転角度（回転量）を検出するエンコーダーがセンサー部１６として設けられている。そして、センサー部１６で検出されたモーター１４の回転量は制御部２２（図５参照）に出力される。
【００３４】
前記第二のヘッドボックス５の一端部には電源部１７が配設されている。そして、電源部１７は外部から供給される商用電源を直流電源に変換して前記制御基板１５及びモーター１４に供給するようになっている。
【００３５】
前記第二のヘッドボックス５の一端側の側面には複数のコネクタ１８が設けられ、そのコネクタ１８の一つには接続コードを介して操作スイッチ１９が接続されている。なお、多数台の電動横型ブラインドが連装される場合に、コネクタ１８には他の電動横型ブラインドの制御基板１５との間で通信信号を送受信するための信号伝送コード（図示しない）が接続される。
【００３６】
図４に示すように、前記第一のヘッドボックス１は窓の上方に設けられる収容凹部２７内に収容される。そして、前記反射板３ａ〜３ｆ及びスラット８が上限まで引き上げられると、反射板３ａ〜３ｆ及びスラット８が収容凹部２７内に位置して、室内側からの視界から遮られるようになっている。
【００３７】
次に、上記のような電動日射制御装置の電気的構成を図５に従って説明する。前記操作スイッチ１９の操作に基づく操作信号は、受信部２１を介して制御部２２に入力される。受信部２１及び制御部２２は、第一のヘッドボックス１内に設けられる。また、リモコン（通信信号スイッチ）２０の操作に基づく操作信号は、受信部２３を介して前記制御部２２に入力される。
【００３８】
センサー部２４は、第一のヘッドボックス１内において前記駆動部４内に配設される各モーターの回転量を検出するエンコーダーを備えている。そして、センサー部２４の検出信号が前記制御部２２に出力される。
【００３９】
また、前記第二のヘッドボックス５内に配設されるセンサー部１６の検出信号も制御部２２に入力される。そして、制御部２２は前記操作スイッチ１９あるいはリモコン２０から入力される操作信号と、センサー部１６，２４からの検出信号と、あらかじめ設定されているプログラムとに基づいて動作して、指令信号を出力する。制御部２２から出力される指令出力は、第一のヘッドボックス１内で駆動部４に配設される駆動回路部２５と、第二のヘッドボックス５内の制御基板１５に搭載される駆動回路部２６に出力される。
【００４０】
駆動回路部２５は、指令信号に基づいて駆動部４の動作を制御する。すると、反射板３ａ〜３ｆが昇降され、あるいは角度調節される。
また、駆動回路部２６は指令信号に基づいてモーター１４の動作を制御する。すると、電動横型ブラインドのボトムレール９及びスラット８が昇降され、あるいは回動される。
【００４１】
次に、上記のような電動日射制御装置の作用を説明する。
図７に示すように反射板３ａ〜３ｆ及びスラット８を下限まで下降させた状態では、外光を反射板３ａ〜３ｆで天井面に向かって反射して、間接照明として利用可能である。そして、反射板３ａ〜３ｆ太陽の高さに応じて反射板３ａ〜３ｆの角度を調整して、外光を効率よく取り入れ可能である。また、スラット８の角度を調整して、室内に取り入れる外光量を調節可能である。
【００４２】
反射板３ａ〜３ｆ及びスラット８を昇降するために、操作スイッチ１９あるいはリモコン２０を操作した場合の制御部２２の動作を図６に示し、その場合の反射板３ａ〜３ｆ及びスラット８の動作を図７〜図９に従って説明する。
【００４３】
操作スイッチ１９あるいはリモコン２０の操作により、反射板３ａ〜３ｆ及びスラット８の引き上げ操作指示が制御部２２に入力されると、制御部２２は操作信号の入力に基づいて引き上げ操作か下降操作かを判定する（ステップ１，２）。
【００４４】
次いで、操作信号によりスラット８及び反射板３ａ〜３ｆの引き上げ操作が指示されている場合には、ステップ３に移行する。そして、図８に示すように、反射板３ａ〜３ｆのうち最下段の反射板３ｆが上限位置に引き上げられるまで、反射板３ａ〜３ｆの引き上げ動作が継続される（ステップ３，４）。最下段の反射板３ｆが上限位置まで引き上げられたか否かは、センサー部２４の検出信号に基づいて判定する。
【００４５】
反射板３ｆが上限まで引き上げられた後、ボトムレール９及びスラット８の引き上げ動作が開始され、図９に示すように、ボトムレール９が上限まで引き上げられるまでボトムレール９及びスラット８の引き上げ動作が継続される（ステップ５，６）。ボトムレール９が上限位置まで引き上げられたか否かは、センサー部１６の検出信号に基づいて判定する。
【００４６】
そして、ボトムレール９が上限まで引き上げられると、ボトムレール９及びスラット８の引き上げ動作が終了する。ボトムレール９の上限位置は、最上段のスラット８が最下段の反射板３ｆに当接する直前に設定されている。
【００４７】
ステップ１，２において、反射板３ａ〜３ｆ及びスラット８の下降操作指示が制御部２２に入力されると、ステップ７へ移行する。例えば図６に示す状態から反射板３ａ〜３ｆ及びスラット８の下降操作指示が入力されると、図８に示すように、まずボトムレール９及びスラット８が下限に達するまで下降動作が行われる（ステップ８，９）。
【００４８】
ボトムレール９及びスラット８が下限に達すると、ステップ１０，１１に移行して、反射板３ａ〜３ｆの下降動作が開始される。そして、図７に示すように反射板３ａ〜３ｆが下限位置に達すると、反射板３ａ〜３ｆの下降動作が停止する。
【００４９】
上記のように構成された電動日射制御装置では、次に示す効果を得ることができる。
（１）反射板３ａ〜３ｆと電動横型ブラインドのスラット８を独立して昇降可能としながら、反射板３ａ〜３ｆとスラット８の干渉を阻止することができる。
（２）反射板３ａ〜３ｆ及びスラット８を上限まで引き上げる場合には、反射板３ａ〜３ｆを上限まで引き上げた後、スラット８を上限まで引き上げることができる。また、反射板３ａ〜３ｆ及びスラット８を下限まで下降させる場合には、スラット８を下限まで下降させた後に、反射板３ａ〜３ｆを下限まで下降させることができる。従って、反射板３ａ〜３ｆ及びスラット８の上限及び下限までの昇降操作時での最下段の反射板３ｆと最上段のスラット８の干渉を阻止することができる。
（３）反射板３ａ〜３ｆとスラット８の昇降動作をそれぞれ別個に行うので、反射板３ａ〜３ｆとスラット８の昇降速度が異なっていても、反射板３ａ〜３ｆ及びスラット８の上限及び下限までの昇降操作時での最下段の反射板３ｆと最上段のスラット８の干渉を阻止することができる。
（４）最下段の反射板３ｆと最上段のスラット８の干渉を阻止することができるので、最下段の反射板３ｆと最上段のスラット８との干渉による最上段のスラット８の損傷を防止することができるとともに、反射板３ａ〜３ｆ及びスラット８の昇降動作に支障を来たすことはない。
（５）外光を反射板３ａ〜３ｆで天井面に向かって反射させて、間接光として利用することができる。
（６）反射板３ａ〜３ｆの下方に吊下支持されるスラット８を角度調節することにより、室内への採光量を調節することができる。
（第二の実施形態）
図１０〜図１３は、第二の実施形態を示す。この実施形態は、反射板３ａ〜３ｆとスラット８を昇降操作する場合の制御方法の別例を示す。制御部による制御動作のみが第一の実施形態と相違し、それ以外の構成は第一の実施形態と同様である。第一の実施形態と同一構成部分は同一符号を付して説明する。
【００５０】
図１０において、ステップ２１〜ステップ２５は第一の実施形態のステップ１〜３，５，６と同様である。ステップ２３において、最下段の反射板３ｆが上限に達していないと、ステップ２６に移行して最下段の反射板３ｆと最上段のスラット８との間隔があらかじめ設定されている設定値以下であるか否かを判定する。最下段の反射板３ｆと最上段のスラット８との間隔は、前記センサー部１６，２４の検出信号に基づいて判定する。
【００５１】
最下段の反射板３ｆと最上段のスラット８との間隔があらかじめ設定されている設定値以下である場合には、ステップ２７に移行して反射板３ａ〜３ｆの引き上げ動作が行われ、ステップ２３，２６，２７のループを繰り返す。
【００５２】
ステップ２６で、最下段の反射板３ｆと最上段のスラット８との間隔があらかじめ設定されている所定の間隔を超えている場合には、ステップ２８，２９に移行してスラット８の引き上げ動作と反射板３ａ〜３ｆの引き上げ動作が並行して行われ、ステップ２３，２６，２８，２９のループを繰り返す。
【００５３】
このような動作により、反射板３ａ〜３ｆ及びスラット８の引き上げ操作が指示されたとき、図１１〜図１３に示すように、最下段の反射板３ｆが上限に達していないと、反射板３ａ〜３ｆ及びスラット８の引き上げ動作が並行して行われる。このとき、最下段の反射板３ｆと最上段のスラット８との間隔は所定の間隔以上が確保される。
【００５４】
ステップ２２において、引き上げ操作ではなく、下降操作が指示されると、ステップ３０〜３３に移行する。ステップ３０〜３３は第一の実施形態のステップ７，８，１０，１１と同様な動作であり、スラット８が下限位置まで下降されているとき、反射板３ａ〜３ｆが下限まで下降される。
【００５５】
ステップ３１において、最上段のスラット８が下限に達していないと、ステップ３４に移行して最下段の反射板３ｆと最上段のスラット８との間隔があらかじめ設定されている所定の間隔以下であるか否かを判定する。
【００５６】
最下段の反射板３ｆと最上段のスラット８との間隔があらかじめ設定されている所定の間隔以下である場合には、ステップ３５に移行してスラット８の下降操作が行われ、ステップ３１，３４，３５のループを繰り返す。
【００５７】
ステップ３４で、最下段の反射板３ｆと最上段のスラット８との間隔があらかじめ設定されている所定の間隔以下に達していない場合には、ステップ３６，３７に移行して反射板３ａ〜３ｆの下降動作とスラット８の下降動作が並行して行われ、ステップ３１，３４，３６，３７のループを繰り返す。
【００５８】
このような動作により、反射板３ａ〜３ｆ及びスラット８の下降操作が指示されたとき、最上段のスラット８が下限に達していないと、反射板３ａ〜３ｆ及びスラット８の下降動作が並行して行われる。このとき、最下段の反射板３ｆと最上段のスラット８との間隔は所定の間隔以上が確保される。
【００５９】
この実施形態の電動日射制御装置では、第一の実施形態で得られた（１）（４）（５）（６）の効果に加えて、次に示す効果を得ることができる。
（１）最下段の反射板３ｆが上限まで引き上げられていない状態で、反射板３ａ〜３ｆ及びスラット８を引き上げる場合には、反射板３ａ〜３ｆとスラット８の引き上げ動作を並行して行うことができるとともに、最下段の反射板３ｆと最上段のスラット８の干渉を阻止することができる。
（２）最上段のスラット８が下限まで下降されていない状態で、反射板３ａ〜３ｆ及びスラット８を下降させる場合には、反射板３ａ〜３ｆとスラット８の下降動作を並行して行うことができるとともに、最下段の反射板３ｆと最上段のスラット８の干渉を阻止することができる。
（３）最下段の反射板３ｆと最上段のスラット８の間隔があらかじめ設定された設定値以下とならないように制御しているので、反射板３ａ〜３ｆ及びスラット８の昇降速度が異なっていても、反射板３ａ〜３ｆ及びスラット８の上限及び下限までの昇降操作時での最下段の反射板３ｆと最上段のスラット８の干渉を阻止することができる。
【００６０】
上記実施形態は、以下の態様で実施してもよい。
・上記実施形態において、反射板と電動横型ブラインドに代えて、電動横型ブラインド同士、プリーツカーテン同士、シェード同士、あるいは電動横型ブラインド、プリーツカーテン及びシェードを組み合わせてもよい。
【符号の説明】
【００６１】
１…第一のヘッドボックス、３ａ〜３ｆ…上部昇降体（反射板）、４…モーター（駆動部）、５…第二のヘッドボックス、８…下部昇降体（スラット）、１４…モーター、１６…制御手段（第二のセンサー部）、２２…制御手段（制御部）、２４…制御手段（第一のセンサー部）。
【図１】
2014029089.tif 000003
【図２】
2014029089.tif 000004
【図３】
2014029089.tif 000005
【図４】
2014029089.tif 000006
【図５】
2014029089.tif 000007
【図６】
2014029089.tif 000008
【図７】
2014029089.tif 000009
【図８】
2014029089.tif 000010
【図９】
2014029089.tif 000011
【図１０】
2014029089.tif 000012
【図１１】
2014029089.tif 000013
【図１２】
2014029089.tif 000014
【図１３】
2014029089.tif 000015